(57)【要約】【課題】保護シールが貼付される孔の設定の自由度を向上し得る画像形成装置、画像形成システム及びプログラムを提供すること。【解決手段】  用紙を出力させるためのジョブ情報の入力指示を受け付ける操作表示部１１４と、操作表示部１１４により受け付けられたジョブ情報に基づいて、複数のグループに用紙を分別し、当該グループ毎に用紙に空けられるファイル用の孔を補強する保護シールの貼付位置を設定し、当該設定を出力する本体制御部１１０とを備える画像形成装置１０。【選択図】図１
2008007250.tif 000002
【特許請求の範囲】
【請求項１】
記録媒体を出力させるための出力要求情報の入力指示を受け付ける情報入力手段と、
前記情報入力手段により受け付けられた前記出力要求情報に基づいて、前記記録媒体に空けられるファイル用の孔を補強する補強部材の貼付位置を設定し、当該設定された補強部材の貼付位置を示す情報を出力する制御手段と、
を備えること、
を特徴とするとする画像形成装置。
【請求項２】
前記制御手段は、
前記出力要求情報に基づいて、前記記録媒体を複数のグループに分別し、当該グループ毎に前記補強部材の貼付位置を設定すること、
を特徴とする請求項１記載の画像形成装置。
【請求項３】
前記グループ毎に前記補強部材の貼付位置の指示を受け付ける貼付位置入力手段を備え、
前記制御手段は、
前記貼付位置入力手段により受け付けられた前記グループ毎の前記補強部材の貼付位置の指示に基づいて、前記グループ毎に前記補強部材の貼付位置を設定すること、
を特徴とする請求項２記載の画像形成装置。
【請求項４】
前記貼付位置入力手段は、前記グループ毎の前記補強部材の貼付位置の指示を複数受け付け、
前記制御手段は、
前記貼付位置入力手段により複数の前記補強部材の貼付位置の指示が受け付けられた前記グループに属する各記録媒体に対して、当該複数の前記補強部材の貼付位置を予め定められた順番で各記録媒体の前記補強部材の貼付位置として順次設定すること、
を特徴とする請求項３記載の画像形成装置。
【請求項５】
前記出力要求情報は、複数の前記記録媒体から成る記録媒体群を複数部出力させるか否かを示す情報を含み、
前記制御手段は、
前記出力要求情報に前記記録媒体群を複数部出力させる情報を含むと判別した場合、前記記録媒体群を構成する記録媒体のうち、最初及び最後に出力される記録媒体を、当該最初及び最後に出力される記録媒体以外の記録媒体とは異なるグループとして分別すること、
を特徴とする請求項２から４のいずれか一項に記載の画像形成装置。
【請求項６】
前記出力要求情報は、複数の前記記録媒体から成る記録媒体群を出力させ、当該記録媒体群を構成する記録媒体のうち表紙又は裏表紙となる記録媒体を含むか否かを示す情報を含み、
前記制御手段は、
前記出力要求情報に前記記録媒体群を構成する記録媒体のうち表紙又は裏表紙となる記録媒体を含むことを示す情報を含むと判別した場合、前記表紙又は裏表紙となる記録媒体を、前記表紙又は裏表紙となる記録媒体以外の記録媒体とは異なるグループに分別すること、
を特徴とする請求項２から５のいずれか一項に記載の画像形成装置。
【請求項７】
前記出力要求情報は、後にＺ折り処理される記録媒体を出力させるか否かを示す情報を含み、
前記制御手段は、
前記出力要求情報にＺ折り処理される記録媒体を出力させる情報を含むと判別した場合、前記後にＺ折り処理される記録媒体を、前記後にＺ折り処理されない記録媒体とは異なるグループに分別すること、
を特徴とする請求項２から６のいずれか一項に記載の画像形成装置。
【請求項８】
前記出力要求情報は、特殊シートである記録媒体を出力させるか否かを示す情報を含み、
前記制御手段は、
前記出力要求情報に前記特殊シートである記録媒体を出力させる情報を含むと判別した場合、前記特殊シートである記録媒体を、前記特殊シートでない記録媒体とは異なるグループに分別すること、
を特徴とする請求項２から７のいずれか一項に記載の画像形成装置。
【請求項９】
前記出力要求情報は、差込シートである記録媒体を出力させるか否かを示す情報を含み、
前記制御手段は、
前記出力要求情報に前記差込シートである記録媒体を出力させる情報含むと判別した場合、前記差込シートである記録媒体を、前記差込シートでない記録媒体とは異なるグループに分別すること、
を特徴とする請求項２から８のいずれか一項に記載の画像形成装置。
【請求項１０】
前記記録媒体毎の前記補強部材の貼付位置の設定又は変更指示を受け付ける設定変更指示入力手段を備え、
前記制御手段は、
前記設定変更指示入力手段により受け付けられた設定変更指示に基づいて、前記記録媒体毎の前記補強部材の貼付位置の設定を行うこと、
を特徴とする請求項１から９のいずれか一項に記載の画像形成装置。
【請求項１１】
記録媒体を出力させるための出力要求情報の入力指示を受け付ける情報入力手段と、
前記情報入力手段により受け付けられた前記出力要求情報に基づいて、前記記録媒体に空けられるファイル用の孔を補強する補強部材の貼付位置を設定し、当該設定を出力する制御手段を備える画像形成装置と、
前記記録媒体毎にファイル用の孔を空ける穿孔手段及び当該孔を補強する補強部材を前記記録媒体に押圧して貼り付ける補強手段を有する穿孔ユニットを複数備え、前記画像形成装置から出力される設定に基づいて前記穿孔ユニットを個別的に駆動させる後処理装置と、
を備えること、
を特徴とするとする画像形成システム。
【請求項１２】
前記制御手段は、
前記出力要求情報に基づいて、前記記録媒体を複数のグループに分別し、当該グループ毎に前記補強部材の貼付位置を設定すること、
を特徴とする請求項１１記載の画像形成システム。
【請求項１３】
前記グループ毎に前記補強部材の貼付位置の指示を受け付ける貼付位置入力手段を備え、
前記制御手段は、
前記貼付位置入力手段により受け付けられた前記グループ毎の前記補強部材の貼付位置の指示に基づいて、前記グループ毎に前記補強部材の貼付位置を設定すること、
を特徴とする請求項１２記載の画像形成システム。
【請求項１４】
前記貼付位置入力手段は、前記グループ毎の前記補強部材の貼付位置の指示を複数受け付け、
前記制御手段は、
前記貼付位置入力手段により複数の前記補強部材の貼付位置の指示が受け付けられた前記グループに属する各記録媒体に対して、当該複数の前記補強部材の貼付位置を予め定められた順番で各記録媒体の前記補強部材の貼付位置として順次設定すること、
を特徴とする請求項１３記載の画像形成システム。
【請求項１５】
前記出力要求情報は、複数の前記記録媒体から成る記録媒体群を複数部出力させるか否かを示す情報を含み、
前記制御手段は、
前記出力要求情報に前記記録媒体群を複数部出力させる情報を含むと判別した場合、前記記録媒体群を構成する記録媒体のうち、最初及び最後に出力される記録媒体を、当該最初及び最後に出力される記録媒体以外の記録媒体とは異なるグループに分別すること、
を特徴とする請求項１２から１４のいずれか一項に記載の画像形成システム。
【請求項１６】
前記出力要求情報は、複数の前記記録媒体から成る記録媒体群を出力させ、当該記録媒体群を構成する記録媒体のうち表紙又は裏表紙となる記録媒体を含むか否かを示す情報を含み、
前記制御手段は、
前記出力要求情報に前記記録媒体群を構成する記録媒体のうち表紙又は裏表紙となる記録媒体を含むことを示す情報を含むと判別した場合、前記表紙又は裏表紙となる記録媒体を、前記表紙又は裏表紙となる記録媒体以外の記録媒体とは異なるグループに分別すること、
を特徴とする請求項１２から１５のいずれか一項に記載の画像形成システム。
【請求項１７】
前記出力要求情報は、後にＺ折り処理される記録媒体を出力させるか否かを示す情報を含み、
前記制御手段は、
前記出力要求情報にＺ折り処理される記録媒体を出力させる情報を含むと判別した場合、前記後にＺ折り処理される記録媒体を、前記後にＺ折り処理されない記録媒体とは異なるグループに分別すること、
を特徴とする請求項１２から１６のいずれか一項に記載の画像形成システム。
【請求項１８】
前記出力要求情報は、特殊シートである記録媒体を出力させるか否かを示す情報を含み、
前記制御手段は、
前記出力要求情報に前記特殊シートである記録媒体を出力させる情報を含むと判別した場合、前記特殊シートである記録媒体を、前記特殊シートでない記録媒体とは異なるグループに分別すること、
を特徴とする請求項１２から１７のいずれか一項に記載の画像形成システム。
【請求項１９】
前記出力要求情報は、差込シートである記録媒体を出力させるか否かを示す情報を含み、
前記制御手段は、
前記出力要求情報に前記差込シートである記録媒体を出力させる情報含むと判別した場合、前記差込シートである記録媒体を、前記差込シートでない記録媒体とは異なるグループに分別すること、
を特徴とする請求項１２から１８のいずれか一項に記載の画像形成システム。
【請求項２０】
前記記録媒体毎の前記補強部材の貼付位置の設定又は変更指示を受け付ける設定変更指示入力手段を備え、
前記制御手段は、
前記設定変更指示入力手段により受け付けられた設定変更指示に基づいて、前記記録媒体毎の前記補強部材の貼付位置の設定を行うこと、
を特徴とする請求項１１から１９のいずれか一項に記載の画像形成システム。
【請求項２１】
コンピュータを、
記録媒体を出力させるための出力要求情報の入力指示を受け付ける情報入力手段、
前記情報入力手段により受け付けられた前記出力要求情報に基づいて、前記記録媒体に空けられるファイル用の孔を補強する補強部材の貼付位置を設定し、当該設定を出力する制御手段、
として機能させるためのプログラム。
【請求項２２】
前記制御手段は、
前記出力要求情報に基づいて、前記記録媒体を複数のグループに分別し、当該グループ毎に前記補強部材の貼付位置を設定すること、
を特徴とする請求項２１記載のプログラム。
【請求項２３】
前記グループ毎に前記補強部材の貼付位置の指示を受け付ける貼付位置入力手段として機能させ、
前記制御手段は、
前記貼付位置入力手段により受け付けられた前記グループ毎の前記補強部材の貼付位置の指示に基づいて、前記グループ毎に前記補強部材の貼付位置を設定すること、
を特徴とする請求項２２記載のプログラム。
【請求項２４】
前記貼付位置入力手段は、前記グループ毎の前記補強部材の貼付位置の指示を複数受け付け、
前記制御手段は、
前記貼付位置入力手段により前記複数の前記補強部材の貼付位置の指示が受け付けられた前記グループに属する各記録媒体に対して、当該複数の前記補強部材の貼付位置を予め定められた順番で各記録媒体の前記補強部材の貼付位置として順次設定すること、
を特徴とする請求項２３記載のプログラム。
【請求項２５】
前記出力要求情報は、複数の前記記録媒体から成る記録媒体群を複数部出力させるか否かを示す情報を含み、
前記制御手段は、
前記出力要求情報に前記記録媒体群を複数部出力させる情報を含むと判別した場合、前記記録媒体群を構成する記録媒体のうち、最初及び最後に出力される記録媒体を、当該最初及び最後に出力される記録媒体以外の記録媒体とは異なるグループに分別すること、
を特徴とする請求項２２から２４のいずれか一項に記載のプログラム。
【請求項２６】
前記出力要求情報は、複数の前記記録媒体から成る記録媒体群を出力させ、当該記録媒体群を構成する記録媒体のうち表紙又は裏表紙となる記録媒体を含むか否かを示す情報を含み、
前記制御手段は、
前記出力要求情報に前記記録媒体群を構成する記録媒体のうち表紙又は裏表紙となる記録媒体を含むことを示す情報を含むと判別した場合、前記表紙又は裏表紙となる記録媒体を、前記表紙又は裏表紙となる記録媒体以外の記録媒体とは異なるグループに分別すること、
を特徴とする請求項２２から２５のいずれか一項に記載のプログラム。
【請求項２７】
前記出力要求情報は、後にＺ折り処理される記録媒体を出力させるか否かを示す情報を含み、
前記制御手段は、
前記出力要求情報にＺ折り処理される記録媒体を出力させる情報を含むと判別した場合、前記後にＺ折り処理される記録媒体を、前記後にＺ折り処理されない記録媒体とは異なるグループに分別すること、
を特徴とする請求項２２から２６のいずれか一項に記載のプログラム。
【請求項２８】
前記出力要求情報は、特殊シートである記録媒体を出力させるか否かを示す情報を含み、
前記制御手段は、
前記出力要求情報に前記特殊シートである記録媒体を出力させる情報を含むと判別した場合、前記特殊シートである記録媒体を、前記特殊シートでない記録媒体とは異なるグループに分別すること、
を特徴とする請求項２２から２７のいずれか一項に記載のプログラム。
【請求項２９】
前記出力要求情報は、差込シートである記録媒体を出力させるか否かを示す情報を含み、
前記制御手段は、
前記出力要求情報に前記差込シートである記録媒体を出力させる情報含むと判別した場合、前記差込シートである記録媒体を、前記差込シートでない記録媒体とは異なるグループに分別すること、
を特徴とする請求項２２から２８のいずれか一項に記載のプログラム。
【請求項３０】
前記記録媒体毎の前記補強部材の貼付位置の設定又は変更指示を受け付ける設定変更指示入力手段として機能させ、
前記制御手段は、
前記設定変更指示入力手段により受け付けられた設定変更指示に基づいて、前記記録媒体毎の前記補強部材の貼付位置の設定を行うこと、
を特徴とする請求項２１から２９のいずれか一項に記載のプログラム。
【発明の詳細な説明】
【技術分野】
【０００１】
本発明は、記録媒体に穿孔させる画像形成装置、画像形成システム及びプログラムに関する。
【背景技術】
【０００２】
近年、原稿画像を記録媒体上に形成する画像形成装置と、原稿画像が形成された記録媒体に対して、ファイル用の孔を空けるパンチ処理、ステイプル留めを行うステイプル処理及び折り処理等の後処理を施す後処理装置とを備えた画像形成システムが提供されている。
【０００３】
ファイル用の孔が空けられた記録媒体は、紐又はバインダ等で束ねられてファイルされて使用されることが多いが、この孔の部分は破れやすいため、孔の部分を保護又は補強する装置が開発されている。
【０００４】
例えば、記録媒体のファイル用の孔を補強する補強部材としての多数の孔保護シールが貼り付けられたシール台紙と記録媒体とを挟んで案内するシール貼り付け手段を有する孔保護シール貼り付け装置と、ファイル用の孔を空ける穿孔手段を有するシール穿孔手段と、を備えた孔保護シールを記録媒体に貼り付ける孔保護シール貼り付けユニットを備えた画像形成装置が開示されている。（特許文献１参照）。
【０００５】
押圧部材と用紙搬送面との間に用紙とシール部材を順次供給し、押圧部材でシール部材を押圧して、押圧部材の押圧形状にシール部材を切断し、その切断片を用紙に貼り付けると同時に、パンチピンで用紙と切断片に孔を空け、切断片を用紙の孔の保護シールとする用紙穿孔ユニットが開示されている（特許文献２参照）。
【０００６】
予めユーザが用紙を穿孔するか否か、穿孔するときはシールを貼るか否か、シールを貼るときは表紙のみ又は全ての用紙に貼るかを設定した後、パンチピンと、穿孔後にパンチピンから用紙を引き離すための押え部材と、穿孔時に孔空け位置に孔補強シールを貼付する機構を設けたパンチピン挿入部を有し、用紙に所定の位置で綴じ孔を空けるパンチユニットを備えた用紙穿孔装置が開示されている（特許文献３参照）。
【０００７】
用紙にパンチ穴を空ける穴開け手段と、パンチ穴の有無及びその個数を指定するための指定手段と、印刷時に穴あけ手段を駆動して、指定個数分のパンチ穴を用紙サイズに応じた位置に開ける制御手段とを具備した文書作成装置が開示されている（特許文献４参照）。
【特許文献１】特開２０００−３１８３６６号公報
【特許文献２】特開２００５−２２５６０８号公報
【特許文献３】特開平１１−１３８４９８号公報
【特許文献４】特開平９−１２３０９８号公報
【発明の開示】
【発明が解決しようとする課題】
【０００８】
しかしながら、上述した様な装置では、全ての孔に保護シールを貼付するか否かの設定しかできず、保護シールを貼付する孔を個別的に設定することができないため、保護シールの貼付が不要な孔にまで貼付され無駄に保護シールを消費することとなり、また、同一個所に保護シールが貼付されることにより記録媒体の束の厚みが増すという問題がある。
【０００９】
そこで本発明の課題としては、保護シールが貼付される孔の設定の自由度を向上し得る画像形成装置、画像形成システム及びプログラムを提供することである。
【課題を解決するための手段】
【００１０】
請求項１に記載の発明は、記録媒体を出力させるための出力要求情報の入力指示を受け付ける情報入力手段と、前記情報入力手段により受け付けられた前記出力要求情報に基づいて、前記記録媒体に空けられるファイル用の孔を補強する補強部材の貼付位置を設定し、当該設定された補強部材の貼付位置を示す情報を出力する制御手段と、
を備える画像形成装置であること、を特徴としている。
更に、コンピュータに対して、上述した請求項１に記載の発明に示した主要手段を機能させるためのプログラムを提供する（請求項２１に記載の発明）。
【００１１】
請求項２に記載の発明は、請求項１記載の画像形成装置において、前記制御手段は、前記出力要求情報に基づいて、前記記録媒体を複数のグループに分別し、当該グループ毎に前記補強部材の貼付位置を設定すること、を特徴としている。
更に、コンピュータに対して、上述した請求項２に記載の発明に示した主要手段を機能させるためのプログラムを提供する（請求項２２に記載の発明）。
【００１２】
請求項３に記載の発明は、請求項２記載の画像形成装置において、前記グループ毎に前記補強部材の貼付位置の指示を受け付ける貼付位置入力手段を備え、前記制御手段は、前記貼付位置入力手段により受け付けられた前記グループ毎の前記補強部材の貼付位置の指示に基づいて、前記グループ毎に前記補強部材の貼付位置を設定すること、を特徴としている。
更に、コンピュータに対して、上述した請求項３に記載の発明に示した主要手段を機能させるためのプログラムを提供する（請求項２３に記載の発明）。
【００１３】
請求項４に記載の発明は、請求項３記載の画像形成装置において、前記貼付位置入力手段は、前記グループ毎の前記補強部材の貼付位置の指示を複数受け付け、前記制御手段は、前記貼付位置入力手段により複数の前記補強部材の貼付位置の指示が受け付けられた前記グループに属する各記録媒体に対して、当該複数の前記補強部材の貼付位置を予め定められた順番で各記録媒体の前記補強部材の貼付位置として順次設定すること、を特徴としている。
更に、コンピュータに対して、上述した請求項４に記載の発明に示した主要手段を機能させるためのプログラムを提供する（請求項２４に記載の発明）。
【００１４】
請求項５に記載の発明は、請求項２から４のいずれか一項に記載の画像形成装置において、前記出力要求情報は、複数の前記記録媒体から成る記録媒体群を複数部出力させるか否かを示す情報を含み、前記制御手段は、前記出力要求情報に前記記録媒体群を複数部出力させる情報を含むと判別した場合、前記記録媒体群を構成する記録媒体のうち、最初及び最後に出力される記録媒体を、当該最初及び最後に出力される記録媒体以外の記録媒体とは異なるグループとして分別すること、を特徴としている。
更に、コンピュータに対して、上述した請求項５に記載の発明に示した主要手段を機能させるためのプログラムを提供する（請求項２５に記載の発明）。
【００１５】
請求項６に記載の発明は、請求項２から５のいずれか一項に記載の画像形成装置において、前記出力要求情報は、複数の前記記録媒体から成る記録媒体群を出力させ、当該記録媒体群を構成する記録媒体のうち表紙又は裏表紙となる記録媒体を含むか否かを示す情報を含み、前記制御手段は、前記出力要求情報に前記記録媒体群を構成する記録媒体のうち表紙又は裏表紙となる記録媒体を含むことを示す情報を含むと判別した場合、前記表紙又は裏表紙となる記録媒体を、前記表紙又は裏表紙となる記録媒体以外の記録媒体とは異なるグループに分別すること、を特徴としている。
更に、コンピュータに対して、上述した請求項６に記載の発明に示した主要手段を機能させるためのプログラムを提供する（請求項２６に記載の発明）。
【００１６】
請求項７に記載の発明は、請求項２から６のいずれか一項に記載の画像形成装置において、前記出力要求情報は、後にＺ折り処理される記録媒体を出力させるか否かを示す情報を含み、前記制御手段は、前記出力要求情報にＺ折り処理される記録媒体を出力させる情報を含むと判別した場合、前記後にＺ折り処理される記録媒体を、前記後にＺ折り処理されない記録媒体とは異なるグループに分別すること、を特徴としている。
更に、コンピュータに対して、上述した請求項７に記載の発明に示した主要手段を機能させるためのプログラムを提供する（請求項２７に記載の発明）。
【００１７】
請求項８に記載の発明は、請求項２から７のいずれか一項に記載の画像形成装置において、前記出力要求情報は、特殊シートである記録媒体を出力させるか否かを示す情報を含み、前記制御手段は、前記出力要求情報に前記特殊シートである記録媒体を出力させる情報を含むと判別した場合、前記特殊シートである記録媒体を、前記特殊シートでない記録媒体とは異なるグループに分別すること、を特徴としている。
更に、コンピュータに対して、上述した請求項８に記載の発明に示した主要手段を機能させるためのプログラムを提供する（請求項２８に記載の発明）。
【００１８】
請求項９に記載の発明は、請求項２から８のいずれか一項に記載の画像形成装置において、前記出力要求情報は、差込シートである記録媒体を出力させるか否かを示す情報を含み、前記制御手段は、前記出力要求情報に前記差込シートである記録媒体を出力させる情報含むと判別した場合、前記差込シートである記録媒体を、前記差込シートでない記録媒体とは異なるグループに分別すること、を特徴としている。
更に、コンピュータに対して、上述した請求項９に記載の発明に示した主要手段を機能させるためのプログラムを提供する（請求項２９に記載の発明）。
【００１９】
請求項１０に記載の発明は、請求項１から９のいずれか一項に記載の画像形成装置において、前記記録媒体毎の前記補強部材の貼付位置の設定又は変更指示を受け付ける設定変更指示入力手段を備え、前記制御手段は、前記設定変更指示入力手段により受け付けられた設定変更指示に基づいて、前記記録媒体毎の前記補強部材の貼付位置の設定を行うこと、を特徴としている。
更に、コンピュータに対して、上述した請求項１０に記載の発明に示した主要手段を機能させるためのプログラムを提供する（請求項３０に記載の発明）。
【００２０】
請求項１１に記載の発明は、記録媒体を出力させるための出力要求情報の入力指示を受け付ける情報入力手段と、前記情報入力手段により受け付けられた前記出力要求情報に基づいて、前記記録媒体に空けられるファイル用の孔を補強する補強部材の貼付位置を設定し、当該設定を出力する制御手段を備える画像形成装置と、前記記録媒体毎にファイル用の孔を空ける穿孔手段及び当該孔を補強する補強部材を前記記録媒体に押圧して貼り付ける補強手段を有する穿孔ユニットを複数備え、前記画像形成装置から出力される設定に基づいて前記穿孔ユニットを個別的に駆動させる後処理装置と、を備える画像形成システムであること、を特徴としている。
【００２１】
請求項１２に記載の発明は、請求項１１記載の画像形成システムにおいて、前記制御手段は、前記出力要求情報に基づいて、前記記録媒体を複数のグループに分別し、当該グループ毎に前記補強部材の貼付位置を設定すること、を特徴としている。
【００２２】
請求項１３に記載の発明は、請求項１２記載の画像形成システムにおいて、前記グループ毎に前記補強部材の貼付位置の指示を受け付ける貼付位置入力手段を備え、前記制御手段は、前記貼付位置入力手段により受け付けられた前記グループ毎の前記補強部材の貼付位置の指示に基づいて、前記グループ毎に前記補強部材の貼付位置を設定すること、を特徴としている。
【００２３】
請求項１４に記載の発明は、請求項１３記載の画像形成システムにおいて、前記貼付位置入力手段は、前記グループ毎の前記補強部材の貼付位置の指示を複数受け付け、前記制御手段は、前記貼付位置入力手段により複数の前記補強部材の貼付位置の指示が受け付けられた前記グループに属する各記録媒体に対して、当該複数の前記補強部材の貼付位置を予め定められた順番で各記録媒体の前記補強部材の貼付位置として順次設定すること、を特徴としている。
【００２４】
請求項１５に記載の発明は、請求項１２から１４のいずれか一項に記載の画像形成システムにおいて、前記出力要求情報は、複数の前記記録媒体から成る記録媒体群を複数部出力させるか否かを示す情報を含み、前記制御手段は、前記出力要求情報に前記記録媒体群を複数部出力させる情報を含むと判別した場合、前記記録媒体群を構成する記録媒体のうち、最初及び最後に出力される記録媒体を、当該最初及び最後に出力される記録媒体以外の記録媒体とは異なるグループに分別すること、を特徴としている。
【００２５】
請求項１６に記載の発明は、請求項１２から１５のいずれか一項に記載の画像形成システムにおいて、前記出力要求情報は、複数の前記記録媒体から成る記録媒体群を出力させ、当該記録媒体群を構成する記録媒体のうち表紙又は裏表紙となる記録媒体を含むか否かを示す情報を含み、前記制御手段は、前記出力要求情報に前記記録媒体群を構成する記録媒体のうち表紙又は裏表紙となる記録媒体を含むことを示す情報を含むと判別した場合、前記表紙又は裏表紙となる記録媒体を、前記表紙又は裏表紙となる記録媒体以外の記録媒体とは異なるグループに分別すること、を特徴としている。
【００２６】
請求項１７に記載の発明は、請求項１２から１６のいずれか一項に記載の画像形成システムにおいて、前記出力要求情報は、後にＺ折り処理される記録媒体を出力させるか否かを示す情報を含み、前記制御手段は、前記出力要求情報にＺ折り処理される記録媒体を出力させる情報を含むと判別した場合、前記後にＺ折り処理される記録媒体を、前記後にＺ折り処理されない記録媒体とは異なるグループに分別すること、を特徴としている。
【００２７】
請求項１８に記載の発明は、請求項１２から１７のいずれか一項に記載の画像形成システムにおいて、前記出力要求情報は、特殊シートである記録媒体を出力させるか否かを示す情報を含み、前記制御手段は、前記出力要求情報に前記特殊シートである記録媒体を出力させる情報を含むと判別した場合、前記特殊シートである記録媒体を、前記特殊シートでない記録媒体とは異なるグループに分別すること、を特徴としている。
【００２８】
請求項１９に記載の発明は、請求項１２から１８のいずれか一項に記載の画像形成システムにおいて、前記出力要求情報は、差込シートである記録媒体を出力させるか否かを示す情報を含み、前記制御手段は、前記出力要求情報に前記差込シートである記録媒体を出力させる情報含むと判別した場合、前記差込シートである記録媒体を、前記差込シートでない記録媒体とは異なるグループに分別すること、を特徴としている。
【００２９】
請求項２０に記載の発明は、請求項１１から１９のいずれか一項に記載の画像形成システムにおいて、前記記録媒体毎の前記補強部材の貼付位置の設定又は変更指示を受け付ける設定変更指示入力手段を備え、前記制御手段は、前記設定変更指示入力手段により受け付けられた設定変更指示に基づいて、前記記録媒体毎の前記補強部材の貼付位置の設定を行うこと、を特徴としている。
【発明の効果】
【００３０】
請求項１、１１、２１に記載の発明によれば、ユーザの手を煩わすことなく出力要求情報に基づいて記録媒体毎に空けられるファイル用の孔を補強する補強部材の貼付位置が設定されるため、補強部材の貼付が不要な孔にまで貼付されることが無くなり、無駄な保護シールの消費を低減させることができるとともに、補強部材の貼付位置の設定の自由度が向上される。
【００３１】
請求項２、１２、２２に記載の発明によれば、請求項１、１１、２１と同様の効果を得られるのは勿論のこと、出力要求情報に基づいて分別されたグループ毎に補強部材の貼付位置を設定することができる。
【００３２】
請求項３、１３、２３に記載の発明によれば、請求項２、１２、２２と同様の効果を得られるのは勿論のこと、ユーザが所望する補強部材の貼付位置のパターンをグループ毎に設定することができるため、ユーザの好みに応じた補強部材の貼付位置を設定することができ、補強部材の貼付位置の設定の自由度を向上させることができる。
【００３３】
請求項４、１４、２４に記載の発明によれば、請求項３、１３、２３と同様の効果を得られるのは勿論のこと、グループ毎の補強部材の貼付位置のパターンが複数受け付けられた場合には、当該グループに属する各記録媒体に対して、当該複数の補強部材の貼付位置のパターンを予め定められた順番で各記録媒体の補強部材の貼付位置として順次設定することができるため、同一個所に補強部材が貼付されることにより記録媒体の束の厚みが増すことを低減することができる。
【００３４】
請求項５、１５、２５に記載の発明によれば、請求項２から４、１２から１４、２２から２４のいずれか一項と同様の効果を得られるのは勿論のこと、記録媒体群を構成する記録媒体のうち、最初及び最後に出力される記録媒体と、当該最初及び最後に出力される記録媒体以外の記録媒体とを分けて補強部材の貼付位置を設定することができる。
【００３５】
請求項６、１６、２６に記載の発明によれば、請求項２から５、１２から１５、２２から２５のいずれか一項と同様の効果を得られるのは勿論のこと、記録媒体群を構成する記録媒体のうち、表紙又は裏表紙となる記録媒体と、当該表紙又は裏表紙となる記録媒体以外の記録媒体とを分けて補強部材の貼付位置を設定することができる。
【００３６】
請求項７、１７、２７に記載の発明によれば、請求項２から６、１２から１６、２２から２６のいずれか一項と同様の効果を得られるのは勿論のこと、後にＺ折り処理される記録媒体と、後にＺ折り処理されない記録媒体とを分けて補強部材の貼付位置を設定することができる。
【００３７】
請求項８、１８、２８に記載の発明によれば、請求項２から７、１２から１７、２２から２７のいずれか一項と同様の効果を得られるのは勿論のこと、特殊シートである記録媒体と、特殊シートでない記録媒体とを分けて補強部材の貼付位置を設定することができる。
【００３８】
請求項９、１９、２９に記載の発明によれば、請求項２から８、１２から１８、２２から２８のいずれか一項と同様の効果を得られるのは勿論のこと、差込シートである記録媒体と、差込シートでない記録媒体とを分けて補強部材の貼付位置を設定することができる。
【００３９】
請求項１０、２０、３０に記載の発明によれば、請求項１から９、１１から１９、２１から２９のいずれか一項と同様の効果を得られるのは勿論のこと、ユーザが所望する記録媒体に対して、個別的に補強部材の貼付位置を設定することができるため、補強部材の貼付位置の設定の自由度を向上させることができ、ユーザに対して補強部材の貼付位置設定に関する作業の使い勝手を向上させることができる。
【発明を実施するための最良の形態】
【００４０】
以下、図を参照して本発明の実施の形態を詳細に説明する。
まず、構成を説明する。
図１に、本実施の形態における画像形成システム１の概略構成図を示す。
図１に示すように、画像形成システム１は、画像形成装置１０及び後処理装置２０から構成される。
【００４１】
本実施の形態における画像形成装置１０は、原稿から画像を読み取り、読み取った画像を記録媒体（以下、用紙と称す。）に画像形成するコピー機能や、パーソナルコンピュータ等から画像データを受信し画像データに基づいて画像を用紙上に形成して出力するプリンタ機能等を備えている。後処理装置２０は、画像形成装置１０から出力された用紙に対して、用紙毎にファイル用の孔を空けるパンチ処理、パンチ処理により空けられた孔を補強する補強部材（以下、保護シールと称す。）を用紙に押圧して貼り付けるパッチ処理、折り処理、ステイプル処理、断裁処理等の各種後処理を実現する機能を備えている。
【００４２】
画像形成装置１０は、本体制御部１１０、記憶部１１１、計時部１１２、カウント部１１３、操作表示部１１４、画像読取部１１５、プリント部１１６、給紙部１１７、用紙搬送部１１８、用紙端部検出部１１９、通信部１２０等により構成され、各部は電気的に各種データを送受信可能な構成となっている。
【００４３】
本体制御部１１０は、ＣＰＵ（Central Processing Unit）等から構成され、記憶部１１１に格納されているプログラムやデータを記憶部１１１の一時記憶領域（図示略）に展開し、当該プログラムに基づいて画像形成システム１全体の制御を行うと共に、画像形成装置１０内の各部と相互に各種情報を送受信可能に接続されており、各部からの情報を受信し、受信した情報を判断して、判断結果である動作指示等の情報を各部に出力し、各部を統括的に制御している。
【００４４】
また、本体制御部１１０は、記憶部１１１等との協働により、操作表示部１１４又は通信部１２０により受け付けられた出力要求情報（以下、ジョブ情報と称す。）に基づいて、複数のグループ（本実施の形態においては、特殊貼付用紙のグループとその他用紙のグループ）に用紙を分別し、当該グループ毎にファイル用の孔を補強する保護シールの貼付位置を、予め操作表示部１１４により受け付けられ記憶部１１１に記憶されているグループ毎の貼付位置の指示に基づいて設定し、当該設定を通信部１２０を介して出力させる保護シール貼付位置設定処理を実行する制御手段としての機能を有する。
【００４５】
ジョブ情報は、用紙上に形成される画像データ及び用紙を出力させる際の各種設定情報等を含むものである。この各種設定情報には、複数の用紙から成る用紙群を複数部出力させる（ソートモード）か否かを示す情報や複数の用紙から成る用紙群を出力させる場合であって当該用紙群には表紙又は裏表紙となる用紙を含む（表紙モード）か否かを示す情報、出力される用紙のうち後にＺ折り処理される用紙を出力させる（Ｚ折りモード）か否かを示す情報、特殊シートである用紙を出力させる（インターシートモード）か否かを示す情報や差込シートである用紙を出力させる（差込モード）か否かを示す情報等を含む。
【００４６】
本体制御部１１０は、用紙を複数のグループに分別する場合、ジョブ情報に基づいて、用紙群を複数部作成させる情報を含むと判別した場合には各用紙群を構成する用紙のうち最初及び最後に出力される用紙を最初及び最後に出力される用紙以外の用紙とは異なるグループ、用紙群に表紙又は裏表紙となる用紙を含むと判別した場合には表紙又は裏表紙となる用紙を表紙又は裏表紙となる用紙以外の用紙とは異なるグループ、特殊シートである用紙を含むと判別した場合には特殊シートである用紙を特殊シートでない用紙とは異なるグループ、差込シートである用紙を含むと判別した場合には差込シートである用紙を差込シートでない用紙とは異なるグループ、後にＺ折り処理される用紙を含むと判別した場合には後にＺ折り処理される用紙を後にＺ折り処理されない用紙とは異なるグループ、として分別する。
【００４７】
従って、本体制御部１１０は、各用紙群を構成する用紙のうち最初及び最後に出力される用紙、用紙群を構成する用紙のうち表紙又は裏表紙となる用紙、特殊シートである用紙、差込シートである用紙、後にＺ折り処理される用紙を、特殊貼付用紙のグループの用紙として設定し、また、各用紙群を構成する用紙のうち最初及び最後に出力される用紙以外の用紙、用紙群を構成する用紙のうち表紙又は裏表紙となる用紙以外の用紙、特殊シートでない用紙、差込シートでない用紙、後にＺ折り処理されない用紙を、その他用紙のグループの用紙として設定し、２つのグループに分別する。
【００４８】
更に本体制御部１１０は、ユーザにより操作表示部１１４が操作されることによって、操作表示部１１４により受け付けられたグループ毎（特殊貼付用紙のグループ、その他用紙のグループ）にそれぞれ属する用紙に貼付される保護シールの貼付位置のパターン（以下、貼付位置パターンと称す。）の設定を記憶部１１１に記憶させるグループ別貼付位置設定処理を実行する制御手段としての機能を有する。
【００４９】
本体制御部１１０は、グループ別貼付位置設定処理を実行したとき、操作表示部１１４によりグループ毎の貼付位置パターンの指示が複数受け付けられた場合、当該グループに属する各用紙に対して、当該複数の貼付位置パターンを予め定められた順番で各用紙の貼付位置パターンとして順次設定する。
【００５０】
なお、予めグループ毎の保護シールの貼付位置パターンを記憶部１１１に記憶し、グループ別貼付位置設定処理が実行されることにより記憶部１１１に記憶されているグループ毎の保護シールの貼付位置パターンが書き換えられるものであってもよい。
【００５１】
グループ別貼付位置設定処理が実行されることにより、ユーザが所望する貼付位置パターンをグループ毎に設定することができるため、ユーザの好みに応じた保護シールの貼付位置を設定することができ、貼付位置の設定の自由度を向上させることができる。
【００５２】
更に、グループ毎の貼付位置パターンが複数受け付けられた場合には、当該グループに属する各用紙に対して、当該複数の貼付位置パターンを予め定められた順番で各用紙の貼付位置パターンとして順次設定することができるため、同一個所に保護シールが貼付されることにより用紙の束の厚みが増すことを低減することができる。
【００５３】
記憶部１１１は、磁気的、光学的記憶媒体若しくは半導体メモリで構成される電気的に消去及び書き換え可能な不揮発性の記憶媒体で構成されている。記憶部１１１としては、例えば、ＲＯＭ（Read Only Memory）及びＲＡＭ（Random Access Memory）の組合せ、ＨＤＤ（Hard Disk Drive）、ＥＥＰＲＯＭ（Electrically Erasable and Programmable ROM）やフラッシュメモリなどが挙げられる。
【００５４】
記憶部１１１は、画像形成システム１の統括的な制御や画像形成装置１０の各部の制御を行うための各種プログラムやデータ、本実施の形態における用紙に対して保護シールの貼付位置を設定する際に用いられるグループ別貼付位置設定処理、保護シール貼付位置設定処理及び編集処理等を実行させるためのプログラムやデータ、操作表示部１１４又は通信部１２０を介して受け付けられたジョブ情報を記憶していると共に、これら各種プログラムやデータを展開させる一時記憶領域を有している。
【００５５】
計時部１１２は、本体制御部１１０からの指示に従って、後処理装置２０へ出力する信号の出力タイミングや各部の制御タイミングを計る。
【００５６】
カウント部１１３は、給紙部１１７から給紙された用紙の数や、画像形成装置１０の外部に排出された用紙の数を計数する。
【００５７】
操作表示部１１４は、テンキー、電源スイッチ等の各種操作キーを備え、これらのキーの操作信号を本体制御部１１０に出力する。また、操作表示部１１４は、ＬＣＤ（Liquid Crystal Display）画面及びタッチパネルを有し、本体制御部１１０から入力される表示信号の指示に従って、ＬＣＤ画面上に各種操作ボタンや、装置の状態表示、各機能の動作状況などの表示を行うと共に、電磁誘導式、磁気歪式、感圧式等の座標読み取り原理でタッチ指示された座標を検出し、検出した座標を操作信号として本体制御部１１０に出力する。
【００５８】
また、操作表示部１１４を構成するＬＣＤ画面上に表示される操作画面及びタッチパネル、各種操作キーにより、ジョブ情報の入力指示を受け付ける情報入力手段、グループ毎に保護シールの貼付位置の指示を受け付ける貼付位置入力手段、用紙毎の貼付位置の設定又は変更指示を受け付ける設定変更指示入力手段としての機能を有する。
【００５９】
画像読取部１１５は、ＡＤＦ（Auto Document Feeder）と称される自動原稿送り部と読取部とを備える。自動原稿送り部により、原稿トレイに積載される原稿は、最上部から順に原稿の読取個所であるコンタクトガラスに密着されながら通過され、コンタクトガラスを通過して読み取り完了後、排紙トレイに排出される。
【００６０】
また、光源、レンズ、コンタクトガラス、ＣＣＤ（Charge Coupled Device）等からなるスキャナを備えて構成された読取部により、原稿に照射した光の反射光が結像されて光電変換されることにより原稿の画像が読み取られ、読み取られた原稿画像（アナログ画像信号）が本体制御部１１０に出力され、本体制御部１１０においてＡ／Ｄ変換され各種画像処理が施された後、プリントデータとしてプリント部１１６に出力される。ここで、画像とは、図形や写真等のイメージデータに限らず、文字や記号等のテキストデータ等も含む意である。
【００６１】
プリント部１１６は、入力されたプリントデータに基づいて、電子写真方式の画像形成を行うものであり、画像形成部、クリーニング部と、定着装置等を備えて構成される。
【００６２】
画像形成部は、感光体ドラム、帯電装置、レーザ光を出力するレーザ出力部とレーザ光を主走査方向に走査させるポリゴンミラーとを有する露光装置、現像装置、転写装置を備えている。画像形成部により、帯電装置により帯電された感光体ドラムに露光装置でプリントデータに基づいてレーザ光が照射され静電潜像が形成され、そして、静電潜像が形成された感光体ドラムの表面に帯電したトナーが付着されて静電潜像（トナー像）が形成され、転写装置においてトナー像が用紙に転写される。
【００６３】
クリーニング部は、用紙にトナー像が転写された後、感光体ドラムの表面の残留電荷や残留トナー等を除去する。定着装置は、用紙に転写されたトナー像を加熱により定着させる。
【００６４】
給紙部１１７は、用紙の斤量やサイズに基づいて予め識別された規格用紙や特殊シートが収容された複数の用紙トレイ、ユーザのニーズに合わせて様々な種類の用紙や差込シートをその都度積載可能である手差トレイを備え、給紙ローラによって用紙トレイ又は手差トレイに収容された用紙等が最上部から一枚ずつ用紙搬送部１１８に向けて搬送する。
【００６５】
特殊シートとは、所定の順序で配列されて１セットの特殊シート群を構成するものであり、例えば、タブ紙やカラーシートを挙げることができる。差込シートとは、予め画像が形成された用紙である。なお、本実施の形態においては、規格用紙、特殊シート、差込シートを総称して用紙と呼ぶ。
【００６６】
用紙搬送部１１８は、給紙部１１７の用紙トレイ又は手差トレイから搬送された用紙を、複数の中間ローラ、レジストローラ、排紙ローラによって挟持して排紙トレイ上に排紙させ、用紙端部検出部１１９は、画像形成装置１０から排紙される用紙を検出する。
【００６７】
通信部１２０は、モデム、ＴＡ（Terminal Adapter）やルータ等によって構成され、後処理装置２０やネットワーク等により接続された外部機器との通信の制御を行う。また、通信部１２０は、外部機器からジョブ情報を受け付ける情報入力手段としての機能を有する。
【００６８】
後処理装置２０は、後処理制御部２１０と、記憶部２１１と、通信部２１２と、第１穿孔ユニット２２０、第２穿孔ユニット２３０、第３穿孔ユニット２４０、第４穿孔ユニット２５０と、折りユニット２６０、ソートユニット（不図示）、ステイプルユニット（不図示）、断裁ユニット（不図示）等の各種後処理ユニットと、当該各種後処理ユニットへ用紙を搬送する搬送ローラ等の搬送手段とが設けられており、各種後処理ユニットは後処理制御部２１０により統括的に制御されている。
【００６９】
後処理制御部２１０は、ＣＰＵ等から構成され、記憶部２１１に格納されているプログラムやデータを記憶部２１１の一時記憶領域（図示略）に展開し、当該プログラムに基づいて、本体制御部１１０から通信部１２０及び通信部２１２を介して入力される信号に応じて用紙を搬送経路に沿って所定の後処理ユニットに搬送し、各部を駆動制御して用紙に所定の後処理を行わせ、所定の排紙トレイに排出する制御を行う。
【００７０】
記憶部２１１は、後処理装置２０の各部の制御を行うための各種プログラムやデータを記憶していると共に、これら各種プログラムやデータを展開させる一時記憶領域を有している。
【００７１】
通信部２１２は、モデム、ＴＡ（Terminal Adapter）やルータ等によって構成され、画像形成装置１０との通信の制御を行う。
【００７２】
第１穿孔ユニット２２０、第２穿孔ユニット２３０、第３穿孔ユニット２４０、第４穿孔ユニット２５０は、用紙の搬送方向と直交する方向又は並行する方向の直線状に配置されており、夫々、後処理制御部２１０からの指示に基づいて、個別的にパンチ処理及びパッチ処理を行う。
【００７３】
第１穿孔ユニット２２０は、用紙毎にファイル用の孔を空ける穿孔部及び当該孔を補強する保護シールを用紙に押圧して貼り付ける補強部、保護シールを所定位置に搬送させる搬送部を有し、穿孔部を駆動させるパンチ駆動部２２１、補強部を駆動させるパッチ駆動部２２２、搬送部を駆動させる保護シール搬送駆動部２２３等を備えて構成している。
【００７４】
第２穿孔ユニット２３０、第３穿孔ユニット２４０、第４穿孔ユニット２５０は、第１穿孔ユニット２２０と同様に、穿孔部、補強部、搬送部を有し、穿孔部を駆動させるパンチ駆動部２３１、２４１、２５１、補強部を駆動させるパッチ駆動部２３２、２４２、２５２、搬送部を駆動させる保護シール搬送駆動部２３３、２４３、２５３等を備えて構成している。
【００７５】
図２〜図５に、第１穿孔ユニット２２０の概略断面図を示す。
なお、第２穿孔ユニット２３０、第３穿孔ユニット２４０、第４穿孔ユニット２５０は、第１穿孔ユニット２２０と略同様の構成であるため、概略断面図及び説明は省略する。
【００７６】
図２に示す第１穿孔ユニット２２０の概略断面図は、第１穿孔ユニット２２０が駆動される前（穿孔前）の初期状態を示している。図２〜図５に示すように、第１穿孔ユニット２２０の穿孔部は、第１駆動モータＭ１、第１駆動モータＭ１の回転軸と接続された第１駆動軸２２０ａ、第１駆動軸２２０ａに接続されたクラッチ２２０ｂ、第１駆動軸２２０ａ及びクラッチ２２０ｂに接続可能な第１ギア２２０ｃ、第１駆動軸２２０ａに接続された第１カム（偏芯カム）２２０ｄ、第１カム２２０ｄの回転に伴って下降し用紙Ｐに孔を空ける穿孔部材２２０ｅ、第１カム２２０ｄの回転に伴って穿孔部材２２０ｅを反発力により上昇させる第１バネ２２０ｆ等から構成される。
【００７７】
第１穿孔ユニット２２０の補強部は、第１ギア２２０ｃと接続された第２ギア２２０ｇ、第２ギア２２０ｇの回転軸と接続された第２駆動軸２２０ｈ、第２駆動軸２２０ｈに接続された第２カム（偏芯カム）２２０ｉ、第２カム２２０ｉの回転に伴って下降し保護シール２２０ｊをカッタ２２０ｋにより切断させて用紙Ｐに押圧させて貼付させる押圧部材２２０ｌ、第２カム２２０ｉの回転に伴って押圧部材２２０ｌを反発力により上昇させる第２バネ２２０ｍ、保護シール２２０ｊが用紙Ｐに押圧される際に用紙を支持する用紙支持部材２２０ｎ等から構成される。
【００７８】
押圧部材２２０ｌは、中空柱の形状であり、中空内部に穿孔部材２２０ｅが移動可能に設けられている。
【００７９】
第１穿孔ユニット２２０の搬送部は、ロール状に巻かれ用紙と対向する面に接着剤が塗布された帯状の保護シール２２０ｊを、用紙上方に搬送させる複数の保護シール搬送ローラ２２０ｐ、穿孔部材２２０ｅにより一部が切断された保護シール２２０ｊを巻き取る巻取ローラ２２０ｑ、巻取ローラ２２０ｑを駆動させる第２駆動モータＭ２等から構成される。
【００８０】
図３に示す第１穿孔ユニット２２０の概略断面図は、第１穿孔ユニット２２０が駆動され、保護シール２２０ｊの一部が切断され用紙Ｐに貼付された状態を示している。
【００８１】
図３に示すように、まず第２駆動モータＭ２が駆動され、所定量の保護シール２２０ｊが巻取ローラ２２０ｑによって巻き取られ、所定量の保護シール２２０ｊが巻取ローラ２２０ｑに巻き取られた後、第２駆動モータＭ２が停止される。その後、第１駆動モータＭ１が駆動され、クラッチ２２０ｂにより第１ギア２２０ｃと第１駆動軸２２０ａが連結され、第２ギア２２０ｇが駆動されることに伴って第２カム２２０ｉが回転し、押圧部材２２０ｌが下降する。押圧部材２２０ｌの下降により保護シール２２０ｊの一部がカッタ２２０ｋにより切断され、切断された保護シール２２０ｊが用紙Ｐに押圧されて貼付される。また、第１駆動モータＭ１が駆動されるため、第１カム２２０ｄが回転され、第１カム２２０ｄの回転に伴って、穿孔部材２２０ｅが下降し始める。
【００８２】
図４に示す第１穿孔ユニット２２０の概略断面図は、第１穿孔ユニット２２０が駆動され、図３に示す保護シール２２０ｊが貼付された用紙Ｐが穿孔された状態を示している。
【００８３】
図４に示すように、第１駆動モータＭ１が駆動されることにより、第１カム２２０ｄが回転され、第１カム２２０ｄの回転に伴って、穿孔部材２２０ｅが下降し、保護シール２２０ｊが貼付された用紙Ｐが穿孔される。一方、第２カム２２０ｉの回転と第２バネ２２０ｍの反発力により押圧部材２２０ｌが上昇する。
【００８４】
図５に示す第１穿孔ユニット２２０の概略断面図は、第１穿孔ユニット２２０が駆動され、図４に示す保護シール２２０ｊが貼付され穿孔されることにより、用紙Ｐ上に孔Ｈを保護する保護シールＳが貼付された用紙Ｐが第１穿孔ユニット２２０後段の処理に搬送される状態を示している。
【００８５】
図５に示すように、第１駆動モータＭ１が駆動されることにより、第２カム２２０ｉの回転と第２バネ２２０ｍの反発力により押圧部材２２０ｌが上昇して初期状態の位置に戻ると共に、第１カム２２０ｄの回転と第１バネ２２０ｆの反発力により穿孔部材２２０ｅが上昇し、穿孔部材２２０ｅが初期状態の位置に戻ると第１駆動モータが停止される。また、用紙Ｐを搬送する搬送ローラが駆動され、用紙Ｐが第１穿孔ユニット２２０後段の処理に搬送される。
【００８６】
折りユニット２６０は、本体制御部１１０から通信部１２０及び通信部２１２を介して入力された指示及び後処理制御部２１０からの指示に基づいて、用紙をＺ折り，中折り等の折り処理を行う。
【００８７】
以下、本実施の形態の動作を説明する。
まず、グループ別貼付位置設定処理について説明する。
図６に、グループ別貼付位置設定処理のフローチャートを示し、図７に、ユーザが選択可能な貼付位置パターンの例を示す。
【００８８】
グループ別貼付位置設定処理の実行が指示されると、操作表示部１１４に図７に示すような複数の保護シールの貼付位置パターンが表示される。
【００８９】
図７に示す複数の貼付位置パターンは、第１〜４穿孔ユニット２２０〜２５０を用いて、用紙Ｐの長手方向Ｘに４つの孔Ｈ１〜Ｈ４が配列されるように空けられる場合における保護シールＳの貼付位置パターン例であり、これに限定されない。
【００９０】
図７（１）に示す貼付位置パターンは、４つの孔Ｈ１〜Ｈ４全てに保護シールＳを貼付する貼付位置パターンＡである。
【００９１】
図７（２）に示す貼付位置パターンは、用紙Ｐの長手方向Ｘに配列された孔Ｈ１〜Ｈ４のうち用紙Ｐの両端の位置の孔Ｈ１、Ｈ４に保護シールＳを貼付する貼付位置パターンＢである。図７（３）に示す貼付位置パターンは、用紙Ｐの長手方向Ｘに配列された孔Ｈ１〜Ｈ４のうち両端の位置の孔Ｈ１、Ｈ４を除く孔Ｈ２、Ｈ３に保護シールＳを貼付する貼付位置パターンＣである。
【００９２】
図７（４）に示す貼付位置パターンは、保護シールＳを貼付する孔と貼付しない孔とが１つおきに交互に生じるよう保護シールを貼付する（ここでは、孔Ｈ１、Ｈ３に保護シールＳを貼付する）貼付位置パターンＤであり、図７（５）に示す貼付位置パターンは、貼付位置パターンＤにおいて保護シールを貼付する孔と貼付しない孔とを入れ替えた（ここでは、孔Ｈ２、Ｈ４に保護シールＳを貼付する）貼付位置パターンＥである。
【００９３】
図７（６）に示す貼付位置パターンは、保護シールＳを貼付する孔と貼付しない孔とが２つおきに交互に生じるよう保護シールを貼付する（ここでは、孔Ｈ１、Ｈ２に保護シールＳを貼付する）貼付位置パターンＦであり、図７（７）に示す貼付位置パターンは、貼付位置モードＦにおいて保護シールを貼付する孔と貼付しない孔とを入れ替えた（ここでは、孔Ｈ３、Ｈ４に保護シールＳを貼付する）貼付位置パターンＧである。
【００９４】
図７（８）に示す貼付位置パターンは、４つの孔Ｈ１〜Ｈ４全てに保護シールＳを貼付しない貼付位置パターンＨである。
【００９５】
本体制御部１１０は、操作表示部１１４により特殊貼付用紙のグループの貼付位置パターンの指示を受け付けたか否かを判別し（ステップＳ１）、貼付位置パターンの指示を受け付けていないと判別した場合（ステップＳ１；Ｎｏ）、貼付位置パターンの指示を受け付けるまで待機する。
【００９６】
本体制御部１１０は、貼付位置パターンの指示を受け付けたと判別した場合（ステップＳ１；Ｙｅｓ）、貼付位置パターンとして貼付位置パターンＡの指示を受け付けたか否かを判別し（ステップＳ２）、貼付位置パターンＡの指示を受け付けたと判別した場合（ステップＳ２；Ｙｅｓ）、特殊貼付用紙のグループの貼付位置パターンを貼付位置パターンＡに設定し（ステップＳ３）、ステップＳ８に進む。
【００９７】
本体制御部１１０は、貼付位置パターンとして貼付位置パターンＡの指示を受け付けていないと判別した場合（ステップＳ２；Ｎｏ）、貼付位置パターンとして貼付位置パターンＢの指示を受け付けたか否かを判別し（ステップＳ４）、貼付位置パターンＢの指示を受け付けたと判別した場合（ステップＳ４；Ｙｅｓ）、特殊貼付用紙のグループの貼付位置パターンを貼付位置パターンＢに設定し（ステップＳ５）、ステップＳ８に進む。
【００９８】
本体制御部１１０は、貼付位置パターンとして貼付位置パターンＣ〜Ｇにおいても、同様に、それぞれ貼付位置パターンとして貼付位置パターンＣ〜Ｇの指示を受け付けたか否かを判別し、貼付位置パターンＣ〜Ｇの指示を受け付けたと判別した場合には、特殊貼付用紙の貼付位置パターンとして、受け付けられた貼付位置パターンＣ〜Ｇを設定する（図示略）。
【００９９】
本体制御部１１０は、貼付位置パターンとして貼付位置パターンＧの指示を受け付けていないと判別した場合、貼付位置パターンとして貼付位置パターンＨの指示を受け付けたか否かを判別し（ステップＳ６）、貼付位置パターンとして貼付位置パターンＨの指示を受け付けていないと判別した場合（ステップＳ６；Ｎｏ）、ステップＳ１に戻る。
【０１００】
本体制御部１１０は、貼付位置パターンとして貼付位置パターンＨの指示を受け付けたと判別した場合（ステップＳ６；Ｙｅｓ）、特殊貼付用紙のグループの貼付位置パターンを貼付位置パターンＨに設定し（ステップＳ７）、ステップＳ８に進む。
【０１０１】
本体制御部１１０は、操作表示部１１４によりその他の用紙のグループの貼付位置パターンとして、２種類の貼付位置パターンを交互に設定する交互貼付モードの選択指示を受け付けたか否かを判別し（ステップＳ８）、交互貼付モードの選択指示を受け付けていないと判別した場合（ステップＳ８；Ｎｏ）、ステップＳ１６に進む。
【０１０２】
本体制御部１１０は、操作表示部１１４により交互貼付モードの選択指示を受け付けたと判別した場合（ステップＳ８；Ｙｅｓ）、その他の用紙のグループの貼付位置パターンとなる２種類の貼付位置パターンのうち一方の貼付位置パターンとして、第２貼付位置パターンの指示を受け付けたか否かを判別し（ステップＳ９）、第２貼付位置パターンの指示を受け付けていないと判別した場合（ステップＳ９；Ｎｏ）、第２貼付位置パターンの指示を受け付けるまで待機する。
【０１０３】
本体制御部１１０は、第２貼付位置パターンの指示を受け付けたと判別した場合（ステップＳ９；Ｙｅｓ）、第２貼付位置パターンとして貼付位置パターンＡの指示を受け付けたか否かを判別し（ステップＳ１０）、貼付位置パターンＡの指示を受け付けたと判別した場合（ステップＳ１０；Ｙｅｓ）、その他の用紙のグループの第２貼付位置パターンを貼付位置パターンＡに設定し（ステップＳ１１）、ステップＳ１６に進む。
【０１０４】
本体制御部１１０は、第２貼付位置パターンとして貼付位置パターンＡの指示を受け付けていないと判別した場合（ステップＳ１０；Ｎｏ）、第２貼付位置パターンとして貼付位置パターンＢの指示を受け付けたか否かを判別し（ステップＳ１２）、貼付位置パターンＢの指示を受け付けたと判別した場合（ステップＳ１２；Ｙｅｓ）、その他の用紙のグループの第２貼付位置パターンを貼付位置パターンＢに設定し（ステップＳ１３）、ステップＳ１６に進む。
【０１０５】
本体制御部１１０は、第２貼付位置パターンとして貼付位置パターンＣ〜Ｇにおいても、同様に、それぞれ第２貼付位置パターンとして貼付位置パターンＣ〜Ｇの指示を受け付けたか否かを判別し、貼付位置パターンＣ〜Ｇの指示を受け付けたと判別した場合には、その他の用紙の第２貼付位置パターンとして、受け付けられた貼付位置パターンＣ〜Ｇを設定する（図示略）。
【０１０６】
本体制御部１１０は、第２貼付位置パターンとして貼付位置パターンＧの指示を受け付けていないと判別した場合、第２貼付位置パターンとして貼付位置パターンＨの指示を受け付けたか否かを判別し（ステップＳ１４）、第２貼付位置パターンとして貼付位置パターンＨの指示を受け付けていないと判別した場合（ステップＳ１４；Ｎｏ）、ステップＳ９に戻る。
【０１０７】
本体制御部１１０は、第２貼付位置パターンとして貼付位置パターンＨの指示を受け付けたと判別した場合（ステップＳ１４；Ｙｅｓ）、その他の用紙のグループの第２貼付位置パターンを貼付位置パターンＨに設定し（ステップＳ１５）、ステップＳ１６に進む。
【０１０８】
本体制御部１１０は、ステップＳ８；Ｎｏ後、又は交互貼付モードである場合であって２種類の貼付位置パターンのうち一方の貼付位置パターンとしての第２貼付位置パターンを設定した後、他方の貼付位置パターンとしての第１貼付位置パターンの指示を受け付けたか否かを判別し（ステップＳ１６）、第１貼付位置パターンの指示を受け付けていないと判別した場合（ステップＳ１６；Ｎｏ）、第１貼付位置パターンの指示を受け付けるまで待機する。
【０１０９】
本体制御部１１０は、第１貼付位置パターンの指示を受け付けたと判別した場合（ステップＳ１６；Ｙｅｓ）、第１貼付位置パターンとして貼付位置パターンＡの指示を受け付けたか否かを判別し（ステップＳ１７）、貼付位置パターンＡの指示を受け付けたと判別した場合（ステップＳ１７；Ｙｅｓ）、その他の用紙のグループの第１貼付位置パターンを貼付位置パターンＡに設定し（ステップＳ１８）、本処理を終了させる。
【０１１０】
本体制御部１１０は、第１貼付位置パターンとして貼付位置パターンＡの指示を受け付けていないと判別した場合（ステップＳ１７；Ｎｏ）、第１貼付位置パターンとして貼付位置パターンＢの指示を受け付けたか否かを判別し（ステップＳ１９）、貼付位置パターンＢの指示を受け付けたと判別した場合（ステップＳ１９；Ｙｅｓ）、その他の用紙のグループの第１貼付位置パターンを貼付位置パターンＢに設定し（ステップＳ２０）、本処理を終了させる。
【０１１１】
本体制御部１１０は、第１貼付位置パターンとして貼付位置パターンＣ〜Ｇにおいても、同様に、それぞれ第１貼付位置パターンとして貼付位置パターンＣ〜Ｇの指示を受け付けたか否かを判別し、貼付位置パターンＣ〜Ｇの指示を受け付けたと判別した場合には、その他の用紙の第１貼付位置パターンとして、受け付けられた貼付位置パターンＣ〜Ｇを設定する（図示略）。
【０１１２】
本体制御部１１０は、第１貼付位置パターンとして貼付位置パターンＧの指示を受け付けていないと判別した場合、第１貼付位置パターンとして貼付位置パターンＨの指示を受け付けたか否かを判別し（ステップＳ２１）、第１貼付位置パターンとして貼付位置パターンＨの指示を受け付けていないと判別した場合（ステップＳ２１；Ｎｏ）、ステップＳ１６に戻る。
【０１１３】
本体制御部１１０は、第１貼付位置パターンとして貼付位置パターンＨの指示を受け付けたと判別した場合（ステップＳ２１；Ｙｅｓ）、その他の用紙のグループの第１貼付位置パターンを貼付位置パターンＨに設定し（ステップＳ２２）、本処理を終了させる。
【０１１４】
即ち、本体制御部１１０は、交互貼付モードの選択指示を受け付けた場合には、その他の用紙のグループの貼付位置パターンとなる２種類の貼付位置パターンとして、第１貼付位置パターン及び第２貼付位置パターンを設定し、第１貼付位置パターンと第２貼付位置パターンとを交互にその他の用紙の貼付位置パターンとして設定する。また、交互貼付モードの選択指示を受け付けていない場合には、その他の用紙のグループの貼付位置パターンとして第１貼付位置パターンを設定する。
【０１１５】
次に、図８〜図１０を参照して、本実施の形態におけるパンチ処理／パッチ処理の設定動作を説明する。図８に、パンチ処理／パッチ処理の設定処理のメインフローチャート、図９に、保護シール貼付位置設定処理のフローチャート、図１０に、編集処理のフローチャートを示す。なお、図８〜図１０に示すフローチャートは、本体制御部１１０により実行されるものである。
【０１１６】
まず、本体制御部１１０は、ジョブ情報を受け付けた後、当該ジョブ情報にはパンチ処理が設定されているか否か（即ち、当該ジョブ情報が実行されることにより出力される用紙を穿孔するか否か）を判別する（ステップＳ３１）。
【０１１７】
本体制御部１１０は、パンチ処理が設定されてない（即ち、当該ジョブ情報が実行されることにより出力される用紙には穿孔しない）と判別した場合（ステップＳ３１；Ｎｏ）、当該ジョブ情報に対する穿孔動作（パンチ処理）を設定せずに（ステップＳ３２）、本処理を終了させる。
【０１１８】
本体制御部１１０は、パンチ処理が設定された（即ち、当該ジョブ情報が実行されることにより出力される用紙に穿孔する）と判別した場合（ステップＳ３１；Ｙｅｓ）、当該ジョブ情報にはパッチ処理が設定されているか否か（即ち、当該ジョブ情報が実行されることにより出力される用紙に保護シールを貼付するか否か）を判別する（ステップＳ３３）。
【０１１９】
本体制御部１１０は、パッチ処理が設定されていない（即ち、当該ジョブ情報が実行されることにより出力される用紙には保護シールを貼付しない）と判別した場合（ステップＳ３３；Ｎｏ）、当該ジョブ情報に対して穿孔動作（パンチ処理）のみを設定し（ステップＳ３４）、本処理を終了させる。
【０１２０】
本体制御部１１０は、パッチ処理が設定された（即ち、当該ジョブ情報が実行されることにより出力される用紙には保護シールを貼付する）と判別した場合（ステップＳ３３；Ｙｅｓ）、空けられた全孔に保護シールを貼付するよう設定されているか否かを判別する（ステップＳ３５）。
【０１２１】
本体制御部１１０は、空けられた全孔に保護シールを貼付するよう設定されていると判別した場合（ステップＳ３５；Ｙｅｓ）、当該ジョブ情報に対して穿孔動作（パンチ処理）及び全孔に対する保護シールの貼付動作（パッチ処理）を設定し（ステップＳ３６）、本処理を終了させる。
【０１２２】
本体制御部１１０は、空けられた全孔に保護シールを貼付するよう設定されていないと判別した場合（ステップＳ３５；Ｎｏ）、貼付位置設定選択画面（不図示）を操作表示部１１４に表示させ、保護シールの貼付位置設定として自動設定が選択されたか否かを判別する（ステップＳ３７）。
【０１２３】
例えば、貼付設定選択画面としては、本体制御部１１０により自動的に保護シールの貼付位置を設定する指示を受け付ける自動設定釦、ユーザにより保護シールの貼付位置の設定又は本体制御部１１０により設定された保護シールの貼付位置の設定変更を行う動作に移る指示を受け付ける編集釦を有する。
【０１２４】
本体制御部１１０は、自動設定釦が選択されたと判別した場合、貼付位置設定として自動設定が選択されたと判別し（ステップＳ３７；Ｙｅｓ）、保護シール貼付位置設定処理を実行させて特殊貼付用紙のグループとその他用紙のグループに分別し（ステップＳ３８）、当該ジョブ情報が実行されることにより出力される用紙全てに対して穿孔動作（パンチ処理）を設定すると共に、用紙毎に保護シール貼付位置設定処理により設定された各グループに対応する貼付位置パターンを実現させるための保護シールの貼付動作を設定し（ステップＳ３９）、本処理を終了させる。
【０１２５】
本体制御部１１０は、自動設定釦が選択されていないと判別した場合（ステップ３７；Ｎｏ）、編集釦が選択されたか否かを判別する（ステップＳ４０）。
【０１２６】
本体制御部１１０は、編集釦が選択されたと判別した場合、ユーザによる保護シールの貼付位置の設定又は変更除等の編集が選択されたと判別し（ステップＳ４０；Ｙｅｓ）、編集処理を実行させて用紙毎に貼付位置パターンの設定又は変更を行い（ステップＳ４１）、当該ジョブ情報が実行されることにより出力される用紙全てに対して穿孔動作（パンチ処理）を設定すると共に、編集処理により設定又は変更された貼付位置パターンを実現させるための保護シールの貼付動作を設定し（ステップＳ４２）、本処理を終了させる。
【０１２７】
本体制御部１１０は、編集釦が選択されていないと判別した場合（ステップＳ４０；Ｎｏ）、当該ジョブ情報に対して穿孔動作（パンチ処理）及び全孔に対する保護シールの貼付動作（パッチ処理）を設定し（ステップＳ４３）、本処理を終了させる。
【０１２８】
図９を参照して、図８のステップＳ３８における保護シール貼付位置設定処理を説明する。
本体制御部１１０は、貼付位置設定として自動設定が選択されたジョブ情報には、複数の用紙から成る用紙群を複数部出力させるソートモードが設定されているか否かを判別し（ステップＳ５１）、ソートモードが設定されていると判別した場合（ステップＳ５１；Ｙｅｓ）、ステップＳ５３に進む。
【０１２９】
本体制御部１１０は、ソートモードが設定されていないと判別した場合（ステップＳ５１；Ｎｏ）、複数の用紙から成る用紙群を出力させ、当該用紙群を構成する用紙のうち表紙又は裏表紙となる用紙を含むか否かを示す表紙モードが設定されているか否かを判別する（ステップＳ５２）。
【０１３０】
本体制御部１１０は、ソートモードが設定されていると判別した場合（ステップＳ５１；Ｙｅｓ）又は表紙モードが設定されていると判別した場合（ステップＳ５２；Ｙｅｓ）、１部毎の表紙又は裏表紙となる用紙、即ち最初及び最後に出力される用紙を、特殊貼付用紙に設定し（ステップＳ５３）、ステップＳ５４に進む。
【０１３１】
本体制御部１１０は、表紙モードが設定されていないと判別した場合（ステップＳ５２；Ｎｏ）又はステップＳ５３後、後にＺ折り処理される用紙を含むＺ折りモードが設定されているか否かを判別する（ステップＳ５４）。
【０１３２】
本体制御部１１０は、Ｚ折りモードが設定されていると判別した場合（ステップＳ５４；Ｙｅｓ）、Ｚ折りされる用紙を特殊貼付用紙に設定し（ステップＳ５５）、ステップＳ５６に進む。
【０１３３】
本体制御部１１０は、Ｚ折りモードが設定されていないと判別した場合（ステップＳ５４；Ｎｏ）又はステップＳ５５後、当該ジョブ情報が実行されることにより出力される用紙として、特殊シートを含む旨を示すインターシートモードが設定されているか否かを判別する（ステップＳ５６）。
【０１３４】
本体制御部１１０は、インターシートモードが設定されていると判別した場合（ステップＳ５６；Ｙｅｓ）、特殊シートである用紙を特殊貼付用紙に設定し（ステップＳ５７）、ステップＳ５８に進む。
【０１３５】
本体制御部１１０は、インターシートモードが設定されていないと判別した場合（ステップＳ５６；Ｎｏ）又はステップＳ５７後、当該ジョブ情報が実行されることにより出力される用紙として、差込シートを含む旨を示す差込モードが設定されているか否かを判別する（ステップＳ５８）。
【０１３６】
本体制御部１１０は、差込モードが設定されていると判別した場合（ステップＳ５８；Ｙｅｓ）、差込シートである用紙を特殊貼付用紙に設定し（ステップＳ５９）、ステップＳ６０に進む。
【０１３７】
本体制御部１１０は、差込モードが設定されていないと判別した場合（ステップＳ５８；Ｎｏ）又はステップＳ５９後、記憶部１１１に当該ジョブ情報が実行されることにより出力される用紙のうち、特殊貼付用紙に設定されていない用紙をその他用紙に設定し（ステップＳ５０）、特殊貼付用紙に設定された用紙のグループと、その他用紙に設定された用紙のグループとに分別し、本処理を終了させる。
【０１３８】
図１０を参照して、図８のステップＳ４１における編集処理を説明する。
本体制御部１１０は、当該ジョブ情報に基づいた処理が実行されることにより出力される用紙を識別するための番号であって穿孔ユニット２２０に搬送される用紙の順番を示す用紙番号を各用紙に設定すると共に、当該ジョブ情報が実行されることにより出力される用紙の総数（出力用紙総数Ｎ）を算出し（ステップＳ７１）、保護シールの貼付位置が当該編集処理において設定された用紙の数（設定済用紙数ｎ）は、出力用紙総数Ｎと等しいか否かを判別する（ステップＳ７２）。
【０１３９】
本体制御部１１０は、設定済用紙数ｎは出力用紙総数Ｎと等しいと判別した場合（ステップＳ７２；Ｙｅｓ）、本処理を終了させる。
【０１４０】
本体制御部１１０は、設定済用紙数ｎは出力用紙総数Ｎと等しくないと判別した場合（ステップＳ７２；Ｎｏ）、設定済用紙数ｎに１を加算して、設定済用紙数ｎの用紙番号に対応する貼付位置パターンを受け付け（ステップＳ７３）、前述した図７に示すような複数の保護シールの貼付位置パターンを操作表示部１１４に表示させる。
【０１４１】
本体制御部１１０は、用紙番号がｎである用紙に対する貼付位置パターンとして、貼付位置パターンＡの指示を受け付けたか否かを判別し（ステップＳ７４）、貼付位置パターンＡの指示を受け付けたと判別した場合（ステップＳ７４；Ｙｅｓ）、用紙番号がｎである用紙の貼付位置パターンを貼付位置パターンＡに設定し（ステップＳ７５）、ステップＳ７２に戻る。
【０１４２】
本体制御部１１０は、用紙番号がｎである用紙に対する保護シールの貼付位置パターンとして、貼付位置パターンＡの指示を受け付けていないと判別した場合（ステップＳ７４；Ｎｏ）、貼付位置パターンＢの指示を受け付けたか否かを判別し（ステップＳ７６）、貼付位置パターンＢの指示を受け付けたと判別した場合（ステップＳ７６；Ｙｅｓ）、用紙番号がｎである用紙の貼付位置パターンを貼付位置パターンＢに設定し（ステップＳ７７）、ステップＳ７２に戻る。
【０１４３】
本体制御部１１０は、用紙番号がｎである用紙に対する貼付位置パターンとして、貼付位置パターンＣ〜Ｇにおいても、同様に、貼付位置パターンＣ〜Ｇの指示を受け付けたか否かを判別し、貼付位置パターンＣ〜Ｇのいずれかの指示を受け付けたと判別した場合には、用紙番号がｎである用紙の貼付位置パターンを受け付けた貼付位置パターンＣ〜Ｇのいずれかに設定する（図示略）。
【０１４４】
本体制御部１１０は、用紙番号がｎである用紙に対する保護シールの貼付位置パターンとして、貼付位置パターンＧの指示を受け付けていないと判別した場合、貼付位置パターンＨの指示を受け付けたか否かを判別し（ステップＳ７８）、貼付位置パターンＨの指示を受け付けていないと判別した場合、ステップＳ７４に戻り、貼付位置パターンＨの指示を受け付けたと判別した場合（ステップＳ７８；Ｙｅｓ）、用紙番号がｎである用紙の貼付位置パターンを貼付位置パターンＨに設定し（ステップＳ７９）、ステップＳ７２に戻る。
【０１４５】
このように編集処理が実行されることにより、ユーザが所望する用紙に対して、個別的に貼付位置パターンを設定することができるため、保護シールの貼付位置の設定の自由度を向上させることができ、ユーザに対して保護シールの貼付位置設定に関する作業の使い勝手を向上させることができる。
【０１４６】
図１１及び図１２を参照して、本実施の形態における保護シール貼付位置設定処理及び編集処理を含むパンチ処理／パッチ処理の設定動作後に出力される用紙の例を説明する。
図１１に、本実施の形態における保護シール貼付位置設定処理及び編集処理を含むパンチ処理／パッチ処理の設定動作後の本体制御部１１０及び後処理制御部２１０のパンチ処理／パッチ処理に関する指示のラダーチャートを示し、図１２に、図１１に示すラダーチャートに基づいてパッチ処理／パンチ処理された用紙の例を示す。
【０１４７】
図１１及び図１２は、グループ別貼付位置設定処理によって、特殊貼付用紙のグループの貼付位置パターンは貼付位置パターンＡ、その他用紙のグループの貼付位置パターンは交互貼付モードであって第１貼付位置パターンとして貼付位置パターンＢ及び第２貼付位置パターンとして貼付位置Ｃが設定された場合において、パッチ処理及びパンチ処理が設定され、かつ、１０枚の用紙から成る用紙群を出力させる場合であって当該用紙群には表紙又は裏表紙となる用紙を含む表紙モード、特殊シートである用紙を７枚目に出力させるインターシートモードを含むジョブ情報に対して、本実施の形態における保護シール貼付位置設定処理及び編集処理を含むパンチ処理／パッチ処理が実行された場合の例である。
【０１４８】
本体制御部１１０は、用紙端部検出部１１９により検出される画像形成装置１０から排出される用紙の検出信号に基づく１枚目の用紙排出信号と共に、当該１枚目の用紙に対するパンチ処理及びパッチ処理の設定を後処理制御部２１０に出力する。１枚目の用紙は、表紙となる用紙であるため特殊貼付用紙のグループに設定されることから、１枚目の用紙に対するパンチ処理の指示と貼付位置パターンＡのパッチ処理の指示が後処理制御部２１０に出力される（ステップＳ８１）。
【０１４９】
後処理制御部２１０は、本体制御部１１０から入力されたパッチ処理及びパンチ処理の設定に応じて第１〜４穿孔ユニット２２０〜２５０を駆動させ、１枚目の用紙に対してパンチ処理及びパッチ処理を行って所定の排紙トレイに排出し、１枚目の用紙の排出完了を示す用紙排出完了信号を本体制御部１１０に出力する（ステップＳ８２）。
【０１５０】
本体制御部１１０は、１枚目の用紙の用紙排出完了信号が入力された後、用紙端部検出部１１９により検出される画像形成装置１０から排紙される用紙の検出信号に基づく２枚目の用紙排出信号と共に、当該２枚目の用紙に対するパンチ処理及びパッチ処理の設定を後処理制御部２１０に出力する。２枚目の用紙は、その他用紙のグループに設定されることから、２枚目の用紙に対するパンチ処理の指示と第１貼付位置パターンとしての貼付位置パターンＢのパッチ処理の指示が後処理制御部２１０に出力される（ステップＳ８３）。
【０１５１】
後処理制御部２１０は、本体制御部１１０から入力されたパッチ処理及びパンチ処理の設定に応じて第１〜４穿孔ユニット２２０〜２５０を駆動させ、２枚目の用紙に対してパンチ処理及びパッチ処理を行って所定の排紙トレイに排出し、２枚目の用紙の排出完了を示す用紙排出完了信号を本体制御部１１０に出力する（ステップＳ８４）。
【０１５２】
本体制御部１１０は、２枚目の用紙の用紙排出完了信号が入力された後、用紙端部検出部１１９により検出される画像形成装置１０から排紙される用紙の検出信号に基づく３枚目の用紙排出信号と共に、当該３枚目の用紙に対するパンチ処理及びパッチ処理の設定を後処理制御部２１０に出力する。３枚目の用紙は、その他用紙のグループに設定されることから、３枚目の用紙に対するパンチ処理の指示と第２貼付位置パターンとしての貼付位置パターンＣのパッチ処理の指示が後処理制御部２１０に出力される（ステップＳ８５）。
【０１５３】
後処理制御部２１０は、本体制御部１１０から入力されたパッチ処理及びパンチ処理の設定に応じて第１〜４穿孔ユニット２２０〜２５０を駆動させ、３枚目の用紙に対してパンチ処理及びパッチ処理を行って所定の排紙トレイに排出し、３枚目の用紙の排出完了を示す用紙排出完了信号を本体制御部１１０に出力する（ステップＳ８６）。
【０１５４】
本体制御部１１０は、３枚目の用紙の用紙排出完了信号が入力された後、用紙端部検出部１１９により検出される画像形成装置１０から排紙される用紙の検出信号に基づく４枚目の用紙排出信号と共に、当該４枚目の用紙に対するパンチ処理及びパッチ処理の設定を後処理制御部２１０に出力する。４枚目の用紙は、その他用紙のグループに設定されることから、４枚目の用紙に対するパンチ処理の指示と第１貼付位置パターンとしての貼付位置パターンＢのパッチ処理の指示が後処理制御部２１０に出力される（ステップＳ８７）。
【０１５５】
後処理制御部２１０は、本体制御部１１０から入力されたパッチ処理及びパンチ処理の設定に応じて第１〜４穿孔ユニット２２０〜２５０を駆動させ、４枚目の用紙に対してパンチ処理及びパッチ処理を行って所定の排紙トレイに排出し、４枚目の用紙の排出完了を示す用紙排出完了信号を本体制御部１１０に出力する（ステップＳ８８）。
【０１５６】
本体制御部１１０は、４枚目の用紙の用紙排出完了信号が入力された後、用紙端部検出部１１９により検出される画像形成装置１０から排紙される用紙の検出信号に基づく５枚目の用紙排出信号と共に、当該５枚目の用紙に対するパンチ処理及びパッチ処理の設定を後処理制御部２１０に出力する。５枚目の用紙は、その他用紙のグループに設定されることから、５枚目の用紙に対するパンチ処理の指示と第２貼付位置パターンとしての貼付位置パターンＣのパッチ処理の指示が後処理制御部２１０に出力される（ステップＳ８９）。
【０１５７】
後処理制御部２１０は、本体制御部１１０から入力されたパッチ処理及びパンチ処理の設定に応じて第１〜４穿孔ユニット２２０〜２５０を駆動させ、５枚目の用紙に対してパンチ処理及びパッチ処理を行って所定の排紙トレイに排出し、５枚目の用紙の排出完了を示す用紙排出完了信号を本体制御部１１０に出力する（ステップＳ９０）。
【０１５８】
本体制御部１１０は、５枚目の用紙の用紙排出完了信号が入力された後、用紙端部検出部１１９により検出される画像形成装置１０から排紙される用紙の検出信号に基づく６枚目の用紙排出信号と共に、当該６枚目の用紙に対するパンチ処理及びパッチ処理の設定を後処理制御部２１０に出力する。６枚目の用紙は、その他用紙のグループに設定されることから、６枚目の用紙に対するパンチ処理の指示と第１貼付位置パターンとしての貼付位置パターンＢのパッチ処理の指示が後処理制御部２１０に出力される（ステップＳ９１）。
【０１５９】
後処理制御部２１０は、本体制御部１１０から入力されたパッチ処理及びパンチ処理の設定に応じて第１〜４穿孔ユニット２２０〜２５０を駆動させ、６枚目の用紙に対してパンチ処理及びパッチ処理を行って所定の排紙トレイに排出し、６枚目の用紙の排出完了を示す用紙排出完了信号を本体制御部１１０に出力する（ステップＳ９２）。
【０１６０】
本体制御部１１０は、６枚目の用紙の用紙排出完了信号が入力された後、用紙端部検出部１１９により検出される画像形成装置１０から排紙される用紙の検出信号に基づく７枚目の用紙排出信号と共に、当該７枚目の用紙に対するパンチ処理及びパッチ処理の設定を後処理制御部２１０に出力する。７枚目の用紙は特殊シートであるため、特殊貼付用紙のグループに設定されることから、７枚目の用紙に対するパンチ処理の指示と貼付位置パターンＡのパッチ処理の指示が後処理制御部２１０に出力される（ステップＳ９３）。
【０１６１】
後処理制御部２１０は、本体制御部１１０から入力されたパッチ処理及びパンチ処理の設定に応じて第１〜４穿孔ユニット２２０〜２５０を駆動させ、７枚目の用紙に対してパンチ処理及びパッチ処理を行って所定の排紙トレイに排出し、７枚目の用紙の排出完了を示す用紙排出完了信号を本体制御部１１０に出力する（ステップＳ９４）。
【０１６２】
本体制御部１１０は、７枚目の用紙の用紙排出完了信号が入力された後、用紙端部検出部１１９により検出される画像形成装置１０から排紙される用紙の検出信号に基づく８枚目の用紙排出信号と共に、当該８枚目の用紙に対するパンチ処理及びパッチ処理の設定を後処理制御部２１０に出力する。８枚目の用紙は、その他用紙のグループに設定されることから、８枚目の用紙に対するパンチ処理の指示と第２貼付位置パターンとしての貼付位置パターンＣのパッチ処理の指示が後処理制御部２１０に出力される（ステップＳ９５）。
【０１６３】
後処理制御部２１０は、本体制御部１１０から入力されたパッチ処理及びパンチ処理の設定に応じて第１〜４穿孔ユニット２２０〜２５０を駆動させ、８枚目の用紙に対してパンチ処理及びパッチ処理を行って所定の排紙トレイに排出し、８枚目の用紙の排出完了を示す用紙排出完了信号を本体制御部１１０に出力する（ステップＳ９６）。
【０１６４】
本体制御部１１０は、８枚目の用紙の用紙排出完了信号が入力された後、用紙端部検出部１１９により検出される画像形成装置１０から排紙される用紙の検出信号に基づく９枚目の用紙排出信号と共に、当該９枚目の用紙に対するパンチ処理及びパッチ処理の設定を後処理制御部２１０に出力する。９枚目の用紙は、その他用紙のグループに設定されることから、９枚目の用紙に対するパンチ処理の指示と第１貼付位置パターンとしての貼付位置パターンＢのパッチ処理の指示が後処理制御部２１０に出力される（ステップＳ９７）。
【０１６５】
後処理制御部２１０は、本体制御部１１０から入力されたパッチ処理及びパンチ処理の設定に応じて第１〜４穿孔ユニット２２０〜２５０を駆動させ、９枚目の用紙に対してパンチ処理及びパッチ処理を行って所定の排紙トレイに排出し、９枚目の用紙の排出完了を示す用紙排出完了信号を本体制御部１１０に出力する（ステップＳ９８）。
【０１６６】
本体制御部１１０は、９枚目の用紙の用紙排出完了信号が入力された後、用紙端部検出部１１９により検出される画像形成装置１０から排紙される用紙の検出信号に基づく１０枚目の用紙排出信号と共に、当該１０枚目の用紙に対するパンチ処理及びパッチ処理の設定を後処理制御部２１０に出力する。１０枚目の用紙は裏表紙であるため、特殊貼付用紙のグループに設定されることから、１０枚目の用紙に対するパンチ処理の指示と貼付位置パターンＡのパッチ処理の指示が後処理制御部２１０に出力される（ステップＳ９９）。
【０１６７】
後処理制御部２１０は、本体制御部１１０から入力されたパッチ処理及びパンチ処理の設定に応じて第１〜４穿孔ユニット２２０〜２５０を駆動させ、１０枚目の用紙に対してパンチ処理及びパッチ処理を行って所定の排紙トレイに排出し、１０枚目の用紙の排出完了を示す用紙排出完了信号を本体制御部１１０に出力する（ステップＳ１００）。
【０１６８】
図１２に示すように、１枚目は表紙、１０枚目は裏表紙、７枚目は特殊シートであることから特殊貼付用紙のグループに属するため貼付位置パターンＡが設定され、全孔Ｈ１〜Ｈ４全てに保護シールＳが貼付される。一方、２〜６枚目及び８、９枚目は、その他用紙であり且つその他用紙は交互貼付モードに設定されていることから、第１貼付位置パターンに設定された貼付位置パターンＢと第２貼付位置パターンに設定された貼付位置パターンＣが１枚毎に交互に設定され、２、４、６、９枚目の用紙には孔Ｈ１、Ｈ４に保護シールＳが貼付され、３、５、８枚目の用紙には孔Ｈ２、Ｈ３に保護シールＳが貼付される。
【０１６９】
以上のように本実施の形態によれば、ユーザの手を煩わすことなくジョブ情報に基づいて用紙毎に空けられるファイル用の孔を補強する保護シールの貼付位置がジョブ情報に基づいて分別されたグループ毎に設定されるため、保護シールの貼付が不要な孔にまで貼付されることが無くなり、無駄な保護シールの消費を低減させることができるとともに、保護シールの貼付位置の設定の自由度が向上される。
【０１７０】
また、本発明は、上記実施の形態の内容に限定されるものではなく、本発明の主旨を逸脱しない範囲で適宜変更可能である。
【図面の簡単な説明】
【０１７１】
【図１】本実施の形態における画像形成システム１の概略構成図である。
【図２】第１穿孔ユニット２２０が駆動される前（穿孔前）の初期状態の第１穿孔ユニット２２０の概略断面図である。
【図３】第１穿孔ユニット２２０が駆動され、保護シール２２０ｊが切断され用紙Ｐに貼付けられた状態の第１穿孔ユニット２２０の概略断面図である。
【図４】図３に示す保護シール２２０ｊが貼付された用紙Ｐが穿孔された状態の第１穿孔ユニット２２０の概略断面図である。
【図５】図４に示す保護シールＳが貼付された用紙Ｐが第１穿孔ユニット２２０後段の処理に搬送される状態の第１穿孔ユニット２２０の概略断面図である。
【図６】グループ別貼付位置設定処理のフローチャートである。
【図７】ユーザが選択可能な貼付位置パターンの例である。
【図８】パンチ処理／パッチ処理の設定処理のフローチャートである。
【図９】保護シール貼付位置設定処理のフローチャートである。
【図１０】編集処理のフローチャートである。
【図１１】本実施の形態における保護シール貼付位置設定処理及び編集処理を含むパンチ処理／パッチ処理の設定動作後の本体制御部１１０及び後処理制御部２１０のパンチ処理／パッチ処理に関する指示のラダーチャートである。
【図１２】図１１に示すラダーチャートに基づいてパッチ処理／パンチ処理された用紙の例である。
【符号の説明】
【０１７２】
１  画像形成システム
１０  画像形成装置
２０  後処理装置
１１０  本体制御部
１１１  記憶部
１１２  計時部
１１３  カウント部
１１４  操作表示部
１１５  画像読取部
１１６  プリント部
１１７  給紙部
１１８  用紙搬送部
１１９  用紙端部検出部
１２０  通信部
２１０  後処理制御部
２１１  記憶部
２１２  通信部
２２０  第１穿孔ユニット
２２０ａ  第１駆動軸
２２０ｂ  クラッチ
２２０ｃ  第１ギア
２２０ｄ  第１カム
２２０ｅ  穿孔部材
２２０ｆ  第１バネ
２２０ｇ  第２ギア
２２０ｈ  第２駆動軸
２２０ｉ  第２カム
２２０ｊ  保護シール
２２０ｋ  カッタ
２２０ｌ  押圧部材
２２０ｍ  第２バネ
２２０ｎ  用紙支持部材
２２０ｐ  保護シール搬送ローラ
２２０ｑ  巻取ローラ
２２１、２３１、２４１、２５１  パンチ駆動部
２２２、２３２、２４２、２５２  パッチ駆動部
２２３、２３３、２４３、２５３  保護シール搬送駆動部
２３０  第２穿孔ユニット
２４０  第３穿孔ユニット
２５０  第４穿孔ユニット
２６０  折りユニット
Ｈ１、Ｈ２、Ｈ３、Ｈ４  孔
Ｍ１  第１駆動モータ
Ｍ２  第２駆動モータ
Ｐ  用紙
Ｓ  保護シール
Ｘ  長手方向
【図１】
2008007250.tif 000003
【図２】
2008007250.tif 000004
【図３】
2008007250.tif 000005
【図４】
2008007250.tif 000006
【図５】
2008007250.tif 000007
【図６】
2008007250.tif 000008
【図７】
2008007250.tif 000009
【図８】
2008007250.tif 000010
【図９】
2008007250.tif 000011
【図１０】
2008007250.tif 000012
【図１１】
2008007250.tif 000013
【図１２】
2008007250.tif 000014